(57)【特許請求の範囲】
【請求項１】
少なくとも一側面に光源が配置された導光板と、
前記導光板の出光面側に配置された光学シートと、
前記光源を支持すべく配置された光源支持部材と、
前記導光板、前記光学シートおよび前記光源支持部材を保持するフレームと、を備え、
前記フレームは、前記導光板の側面から該導光板を支持する突起部を前記フレームの４辺に有し、前記光源支持部材の一端は、前記光源が配置された前記導光板の側面において、前記突起部の前記導光板側面を支持する面とは反対側の面と対向して配置されることを特徴とする表示装置。
【請求項２】
前記突起部は、該突起部の高さをｔとし、前記光源が配置された前記導光板の側面の厚さをＴとして、０．０５Ｔ≦ｔ≦０．３Ｔの範囲である請求項１記載の表示装置。
【請求項３】
前記光学シートは一部に突出部が形成され、前記フレームの前記突起部に、前記光学シートに形成された突出部が収納可能な切り欠きが設けられた請求項１または２記載の表示装置。
【請求項４】
前記フレームの切り欠きが、前記フレームの対向する２辺に形成された請求項３記載の表示装置。
【請求項５】
前記光源は、前記導光板４辺の側面に配置されている請求項１、２、３または４記載の表示装置。
【発明の詳細な説明】
【技術分野】
【０００１】
本発明は、側面に光源が配置された導光板を有し、導光板を側面から支持する表示装置に関するものである。
【背景技術】
【０００２】
従来の表示装置は、例えば液晶を用いた表示装置において、液晶パネルに光を導くため導光板が液晶パネル表示面とは反対側の面に配置され、導光板の側面には、線状光源などの光源が配置され、該光源を覆うように光源からの光を導光板側面に集約させるべく反射部材が配置される。この液晶パネルと導光板の間には、光源からの光を拡散させ、液晶パネルを均一に照射するための拡散シートなどの光学シート類が配置されている。これら光学シート類の水平方向への移動を規制するために、光源、反射部材および光学シート類などを支持する段差部をフレームに設けたものもある（例えば、特許文献１参照）。
【０００３】
また、フレームに段部を設け、導光板を支持するため、導光板側面の一部をフレーム段部と接するよう配置し、かつフレーム段部における導光板と保持部材との間隔を、反射部材端部と導光板との間隔より狭く配置したものもある（例えば、特許文献２参照）。
【０００４】
【特許文献１】特開２００３−１２１８１６号公報（第３図）
【特許文献２】特開２００１−１２６５２３号公報（第１図）
【発明の開示】
【発明が解決しようとする課題】
【０００５】
上記従来技術である特許文献１において、フレームに設けられた段差部は、光学シート類の移動を規制するものであって、導光板の支持に関しては、開示または示唆は一切なされていない。また、特許文献２において、フレームに導光板を支持するような段部を設けた場合でも、反射部材端部が導光板の側面に接触することで導光板側面に傷がつき、輝度のばらつきなどといった表示不良の発生が問題であった。本発明は前記問題点に鑑みてなされたものであって、耐振動衝撃性を向上し、さらに輝度ムラ等の表示不良の発生を抑制して、表示装置の品質を向上させることを目的としている。
【課題を解決するための手段】
【０００６】
本発明は、少なくとも一側面に光源が配置された導光板と、前記導光板の出光面側に配置された光学シートと、前記光源を支持すべく配置された光源支持部材と、前記導光板、前記光学シートおよび前記光源支持部材を保持するフレームと、を備え、前記フレームは、前記導光板の側面から該導光板を支持する突起部を前記フレームの４辺に有し、前記光源支持部材の一端は、前記光源が配置された前記導光板の側面において、前記突起部の前記導光板側面を支持する面とは反対側の面と対向して配置されることを特徴とするものである。
【発明の効果】
【０００７】
本発明記載の表示装置は、側面に光源が配置された導光板と、前記導光板の出光面側に配置された光学シートと、前記光源を支持すべく配置された光源支持部材と、前記導光板の側面から導光板を支持する突起部を有するフレームを備えることを特徴とするので、耐振動衝撃性が向上し、さらに輝度ムラ等の表示不良の発生を抑制できる。
【発明を実施するための最良の形態】
【０００８】
以下に、本発明の適用可能な実施の形態が説明される。以下の説明は、本発明の実施形態を説明するためのものであり、本発明が以下の実施形態に限定されるものではない、説明の明確化のため、以下の記載は、適宜、省略及び簡略化がなされている。また、当業者であれば、以下の実施形態の各要素を、本発明の範囲において容易に変更、追加、変換することが可能であろう。
【０００９】
実施の形態１
図１の（ａ）は、本実施の形態における表示装置の表示面側からの正面図、図１の（ｂ）は、本実施の形態における図１の（ａ）のＸ−Ｘ断面図である。図１に示されるように、導光板１の側面１ｂには線状光源などの光源５が設置され、この光源５を支持すべく、光源支持部材６が配置される。この光源支持部材６は、光源５からの光を反射させて導光板側面１ｂへ光を有効的に入射させる反射部材の役割をも担っている。また、導光板１の出光面１ａ側には、光源５からの光を拡散させ液晶パネルを均一に照射するための拡散シートや、光源５からの光の放射特性を偏光させ輝度を向上させるためのレンズシートなどの光学シート類２が配置される。さらに、導光板１の出光面１ａとは反対側の面には、導光板１の出光面１ａに光源５からの光を有効的に集光させるように反射シート３が配置される。さらに導光板１、光学シート類２や光源支持部材６を支持すべく第１フレーム４と第２フレーム７とが備わっている。
【００１０】
図１の（ｂ）に示す通り、本実施の形態において、第１フレーム４は、突起部４ａを有し、この突起部４ａで導光板１を側面１ｂから支持している。この構成とすることで、第１フレームの開口部（出光面）の周囲の強度が増すので、耐振動衝撃性が高い製品の作製が可能となる。また、第１フレーム４の４辺に突起部４ａを配置することで、より耐振動衝撃性にすぐれ、さらに導光板１に位置決めおよび支持のために形成される突出部が不要となり光源５を第１フレーム４の４辺に配置可能となることで、高い輝度を得ることができる。
【００１１】
さらに、光源支持部材６の一端が、第１フレーム４の突起部４ａにおける、導光板１の側面１ｂを支持する面とは反対側の面と、接しまたは近接して配置されることで、光源支持部材６の一端が導光板１の側面１ｂと接触し、導光板１の側面１ｂを傷つけることも防止可能となり、輝度ムラ等の表示不良の発生を抑制できる。
【００１２】
また、第１フレーム４の突起部４ａは、突起部４ａの高さをｔとし、光源５が配置された導光板１の側面１ｂの厚さをＴとした場合、突起部４ａは、０．０５Ｔ≦ｔ≦０．３Ｔの範囲であることが好ましい。突起部４ａの高さｔが０．０５Ｔ以上であることによって光源支持部材６の一端が導光板１の側面１ｂと接触し、導光板１の側面１ｂを傷つけることをより確実に防止することが可能となり、さらには突起部４ａの工作精度も高くなる。一方、突起部４ａの高さｔが０．３Ｔ以下であることによって光源５からの光が効率的に導光板１の側面１ｂへ入射することが可能となる。なお、本実施の形態において第１フレーム４の突起部４ａの高さｔは０．５〜３ｍｍ、幅ｗは１〜２ｍｍ、導光板１の側面１ｂの厚さＴは１０ｍｍとしている。
【００１３】
なお、図には示していないが第１フレーム４の突起部４ａにおける導光板１の側面１ｂを支持する面と、光源５と対向する面を反射部材にて覆うことで、より効率よく光源５からの光を導光板１の側面１ｂへ集光させることが可能となる。
【００１４】
上記のように、本実施の形態１の表示装置によって、耐振動衝撃性が高い製品の作製が可能となり、さらには光源支持部材６の一端が導光板１の側面１ｂと接触し、導光板１の側面１ｂを傷つけることも防止可能となり、輝度ムラ等の発生を抑制できる。これにより、製品品質を向上させることができる。
【００１５】
実施の形態２
本実施の形態２を図２、図３および図４により説明する。図２の（ａ）は、本実施の形態２における表示装置の表示面とは反対側からみた斜視図、図２の（ｂ）は、図２の（ａ）におけるＡ部詳細図、図３の（ａ）は、本実施の形態２における表示装置の表示面とは反対側からみた平面図、図３の（ｂ）は、図３の（ａ）におけるＢ部詳細図、図４は図３の（ａ）において、導光板１、反射シート３、光源５、光源支持部材６および第２フレーム７を組み込んだＹ−Ｙ断面図である。図１と同じ構成部分については同一符号を付している。なお、図２および図３は、光学シート類２および第１フレーム４のみ配置された状態である。
【００１６】
図２〜図４に示す通り、突起部４ａを有する第１フレーム４は、突起部４ａを含むように例えば長手方向の長さｚ（２０〜４０ｍｍ）の切り欠き４ｂが形成されており、光学シート類２に形成された突出部２ａが収納されている。この構成とすることで、光学シート類２の位置決めが容易になり、さらに第１フレーム４に形成された切り欠き４ｂは、光学シート類２の突出部２ａを含むように形成されているため、振動あるいは衝撃等により導光板１の出光面１ａと第１フレーム４とが接する面に隙間が発生したとしても、光学シート類２が第１フレーム４の突起部４ａに引っ掛かるため光学シート類２の位置ずれを防止することが可能となる。
【００１７】
図２〜図４に示す通り、第１フレーム４に形成される切り欠き４ｂは、第１フレーム４の突起部４ａを含み、光学シート類２に形成された突出部２ａが収納可能な領域で、図１の（ｂ）の突起部４ａの高さｔ方向に第１フレーム４を貫通しない形状を示しているが、第１フレーム４を貫通するように切り欠き４ｂを形成した場合でも同様な効果を奏することができる。
【００１８】
また、本実施の形態において、切り欠き４ｂは第１フレーム４の対向する２辺に形成されている場合を説明したが、第１フレーム４の４辺全てに切り欠き４ｂを形成することで、より確実に光学シート類２が位置ずれすることを防止可能となる。
【００１９】
上記のように、本実施の形態２の表示装置によって、突起部４ａを有する第１フレーム４に切り欠き４ｂを形成することで、光学シート類２の位置決めが容易になり、さらに光学シート２の位置ずれも防止可能となる。これにより、製品品質を向上させることができる。その他は実施の形態１と同様である。
【００２０】
上記実施の形態１または２においては、光源５は、導光板１の４辺の側面１ｂに無駄なく配置することが可能であり、導光板１の側面１ｂを傷つけることなく輝度の高い表示装置を得ることが可能となる。
【００２１】
また、上記実施の形態１または２においては、通常、導光板１の側面に配置される光源５としては冷陰極管などの蛍光ランプが使用されるが、それに限定されることなく、例えば白色やＲ、Ｇ、Ｂなどの発光色を持つＬＥＤ（発光ダイオード）を用いた光源を使用した場合でも、耐振動衝撃性が高い製品の作製が可能となり、さらには光源支持部材６の一端が導光板１の側面１ｂと接触し、導光板１の側面１ｂを傷つけることも防止可能となり、輝度ムラ等の発生を抑制することが可能となる。
【図面の簡単な説明】
【００２２】
【図１】（ａ）は実施の形態１における表示装置の表示面側からの正面図、（ｂ）は（ａ）のＸ−Ｘ断面図である。
【図２】（ａ）は本実施の形態２における表示装置の表示面とは反対側からみた斜視図、（ｂ）は（ａ）におけるＡ部詳細図である。
【図３】（ａ）は本実施の形態２における表示装置の表示面とは反対側からみた平面図、（ｂ）は（ａ）におけるＢ部詳細図である。
【図４】図３の（ａ）において、導光板１、反射シート３、光源５、光源支持部材６および第２フレーム７を組み込んだＹ−Ｙ断面図である。
【符号の説明】
【００２３】
１    導光板
１ａ  出光面
１ｂ  側面
２    光学シート類
２ａ  突出部
３    反射シート
４    第１フレーム
４ａ  突起部
４ｂ  切り欠き
５    光源
６    光源支持部材
７    第２フレーム
【図１】
0004647218.tif 000002
【図２】
0004647218.tif 000003
【図３】
0004647218.tif 000004
【図４】
0004647218.tif 000005